(57)【要約】【課題】ラベルプリンタの操作においてオペレータが電卓等で演算する必要が生じた場合に、ラベルプリンタへの入力箇所を誤ってしまう可能性を低減させるラベルプリンタを提供する。【解決手段】ラベルプリンタは、発行するラベルの商品に関する情報を各入力枠に表示する値付け画面を有し、オペレータからの入力に応じて演算を行う電卓手段と、電卓手段の演算結果の出力先の項目を指示する指示手段と、前記指示手段による前記出力先の項目の指示に応じて、値付け画面の入力枠に前記演算結果を入力する制御手段と、を備える。【選択図】図１
2014136375.tif 000002
【特許請求の範囲】
【請求項１】
ラベル発行する商品に関する情報を各入力枠に表示する値付け画面を有するラベルプリンタにおいて、
オペレータからの入力に応じて演算を行う電卓手段と、
該電卓手段の演算結果の出力先の項目を指示する指示手段と、
前記指示手段による前記出力先の項目の指示に応じて、前記値付け画面の前記入力枠に前記演算結果を出力する制御手段と、
を備えることを特徴とするラベルプリンタ。
【請求項２】
値付けする商品の種類に応じた複数の動作モードを有し、
前記制御手段は、
前記指示手段により指示された出力先の項目に応じて所定の動作モードに切り替えることを特徴とする請求項１に記載のラベルプリンタ。
【請求項３】
前記電卓手段と前記指示手段とを同一画面に表示させる
ことを特徴とする請求項１又は請求項２に記載のラベルプリンタ。
【請求項４】
前記指示手段は、
前記出力先の項目に対応する選択キーを有する
ことを特徴とする請求項１乃至請求項３の何れか１項に記載のラベルプリンタ。
【請求項５】
前記出力先の項目の指示に応じて前記入力枠に出力され、前記入力枠に表示されている情報を印字する印字手段を有する
ことを特徴とする請求項１乃至請求項４の何れか１項に記載のラベルプリンタ。
【発明の詳細な説明】
【技術分野】
【０００１】
本発明は、ラベルプリンタに関する。
【背景技術】
【０００２】
オペレータからの入力に基づいて、商品の値段（例えば、単価、販売価格）などを媒体（ラベル用媒体）に印字し、ラベルを発行するラベルプリンタが知られている（例えば特許文献１参照）。
【先行技術文献】
【特許文献】
【０００３】
【特許文献１】特開平１０−３２４３２０号公報
【発明の概要】
【発明が解決しようとする課題】
【０００４】
ところで、ラベル用媒体に印字する数値（例えば、値段）を決定あるいは確認するために、ラベルを発行する際にラベルプリンタとは別に、電卓を利用する場合がある。この場合、オペレータは、電卓を用いて値段を演算し、演算結果をラベルプリンタに正確に入力する必要がある。しかしながら、ラベルプリンタの操作とは別に、一旦、電卓を操作するため、ラベルプリンタの操作ミス（例えば、演算結果とは異なる数値の入力し、本来出力すべき出力先とは異なる出力先へ出力）が生じ易くなっている。
【０００５】
本発明は、上記の点に鑑みてなされたものであり、ラベルを発行する際に演算が必要になった場合（即ち、演算結果をラベルプリンタに入力する場合）において、ラベルプリンタの操作ミスを低減させることを目的とする。
【課題を解決するための手段】
【０００６】
本発明の一態様は、ラベル発行する商品に関する情報を各入力枠に表示する値付け画面を有するラベルプリンタにおいて、オペレータからの入力に応じて演算を行う電卓手段と、該電卓手段の演算結果の出力先の項目を指示する指示手段と、前記指示手段による前記出力先の項目の指示に応じて、前記値付け画面の前記入力枠に前記演算結果を出力する制御手段と、を備えることを特徴とするラベルプリンタである。
上記ラベルプリンタによれば、演算結果が、オペレータの指示に応じて値付け画面の入力枠に出力されるので、演算結果とは異なる数値を誤って入力することや、本来の出力先とは異なる出力先へ誤って出力されることがなくなる。即ち、ラベルを発行する際に演算が必要になった場合であっても、ラベルプリンタの操作ミスを低減させることができる。
【０００７】
また、上記ラベルプリンタは、値付けする商品の種類に応じた複数の動作モードを有し、前記制御手段は、前記指示手段により指示された出力先の項目に応じて所定の動作モードに切り替えるようにしてもよい。
上記ラベルプリンタによれば、オペレータが指示した出力先の項目に応じて動作モードが適切に切り替わるので、切り替えるべき動作モードに切り替える手間もなくなる。また、切り替えるべき動作モードとは異なる動作モードに誤って切り替える心配や、切り替えるのを忘れる心配もなくなる。即ち、簡便に、正しい動作モードでラベルを発行することができるようになる。
【０００８】
また、上記ラベルプリンタは、前記電卓手段と前記指示手段とを同一画面に表示させるようにしてもよい。
上記ラベルプリンタによれば、同一画面に電卓手段と指示手段が表示されるので、演算結果の出力先の項目を、同一画面にて簡便に指示することができる。
【０００９】
また、上記ラベルプリンタにおいて、前記指示手段は、前記出力先の項目に対応する選択キーを有していてもよい。
上記ラベルプリンタによれば、出力先に応じた選択キーを有するので、演算結果の出力先の項目を、選択キーを用いて簡便に指示することができる。
【００１０】
また、上記ラベルプリンタは、前記出力先の項目の指示に応じて前記入力枠に出力され、前記入力枠に表示されている情報を印字する印字手段を有していてもよい。
【発明の効果】
【００１１】
上記ラベルプリンタは、オペレータからの入力に応じて演算を行う電卓手段と、電卓手段の演算結果をオペレータの指示に応じた入力枠に出力する制御手段とを備えるため、ラベルを発行する際に演算が必要になった場合であっても、ラベルプリンタの操作ミス（例えば、演算結果とは異なる数値の入力、本来の出力先とは異なる出力先へ出力）を低減させることができる。
【図面の簡単な説明】
【００１２】
【図１】本発明の一実施形態におけるラベルプリンタの構成例を示すブロック図である。
【図２】同実施形態における計量モード用の値付け画面の一例である。
【図３】同実施形態における定額モード用の値付け画面の一例である。
【図４】同実施形態におけるバイカウントモード用の値付け画面の一例である。
【図５】同実施形態における電卓画面の一例である。
【図６】同実施形態におけるラベルプリンタの動作の一例を示すフローチャートである。
【発明を実施するための形態】
【００１３】
以下、本発明の一実施形態について図面を参照して説明する。図１は、本発明の一実施形態におけるラベルプリンタ１の構成例を示すブロック図である。ラベルプリンタ１は、制御装置１００と、はかり２と、印字機構部３（印字手段）と、操作部５とを備える。
【００１４】
はかり２は、ロードセル２ａを有する。ロードセル２ａは、商品の重量を計測し、商品の重量を示す信号を制御装置１００に出力する。印字機構部３は、制御装置１００による制御に基づいて、所定の印字フォーマットで印字データ（商品データ）をラベル用媒体に印字し、商品のラベルを発行する。
【００１５】
操作部５は、キー操作部７と、タッチパネル９ａと、液晶表示器９ｂとを有する。液晶表示器９ｂは、タッチパネル９ａと一体に構成され、制御装置１００による制御に基づいて、所定の表示フォーマットで表示データ（例えば、図２〜図５の各種表示画面、商品データ）を表示する。液晶表示器９ｂの解像度は、例えば、６４０×４８０［ドット］である。なお、液晶表示器９ｂは、操作部５が備える表示器の一例であって、表示器として、液晶表示器９ｂに代えて、例えば、有機ＥＬ（Electro Luminescence）を用いてもよい。タッチパネル９ａは、オペレータによる操作入力（例えば、液晶表示器９ｂに表示されている各種キーを構成するアイコン画像を押下する操作）を受け付け、操作入力に応じた信号を、制御装置１００に出力する。キー操作部７は、オペレータによる操作入力を受け付け、操作入力に応じた信号を、制御装置１００に出力する。キー操作部７には、数字キー（不図示）、品番キー（不図示）、発行キー（不図示）などが配置されている。
【００１６】
制御装置１００は、ラベルプリンタ１の各部を制御する。制御装置１００は、ＣＰＵ２０（Central Processing Unit）（制御手段）と、ロードセル制御部２１と、印字制御部２２と、操作制御部２４と、表示制御部２５と、ＲＡＭ３０（Random Access Memory）と、ＲＯＭ４０（Read Only Memory）とを有する。
【００１７】
ＲＯＭ４０は、各種情報を記憶する。例えば、ＲＯＭ４０は、制御プログラムを記憶する。なお、ＲＯＭ４０に記憶された情報のうち所定の情報（例えば、制御プログラム）は、制御装置１００の電源が投入された際にＲＡＭ３０に展開される（読み出される）。
【００１８】
ＲＡＭ３０は、各種情報を一時記憶する。例えば、ＲＡＭ３０は、ＲＯＭ４０から展開された制御プログラムを一時記憶する。また、例えば、ＲＡＭ３０は、商品ファイル、フォーマットファイルを一時記憶する。商品ファイルは、商品に関する情報（商品データ）を記憶（格納）する。商品データの一例は、商品の識別情報（商品番号）、商品の品名、商品の値段である。
【００１９】
フォーマットファイルの一例は、印字フォーマットに関する印字フォーマット情報を格納（記憶）する印字フォーマットファイル、表示フォーマットに関する表示フォーマット情報を格納する表示フォーマットファイルである。印字フォーマット情報には、フォーマット番号毎に、各印字項目の印字位置（印字データを印字する矩形状領域を形成（設定）するための点（始点）のＸ座標、Ｙ座標）、幅データ（上記矩形状領域を形成するための上記始点からＸ方向、Ｙ方向の夫々の幅）、印字向き（縦／横）、書体等が含まれる。印字フォーマットファイルは、フォーマット番号及び印字項目に対応付けて、印字位置、幅データ、印字向き、書体等を格納する。即ち、印字フォーマットファイルには、各印字フォーマット（各印字フォーマットはフォーマット番号で識別される）に含まれる複数の印字項目、該複数の印字項目の夫々の印字データの印字領域（夫々の印字項目の印字データを印字する矩形状領域）、上記夫々の印字データの印字向き、上記夫々の印字データの書体等が設定されている。表示フォーマット情報や表示フォーマットファイルについても同様である。なお、商品ファイルやフォーマットファイルは、ＲＯＭ４０から読み出されてＲＡＭ３０に一時記憶されてもよいし、外部（ラベルプリンタ１以外の装置）から受信されてＲＡＭ３０に一時記憶されてもよい。
【００２０】
ロードセル制御部２１には、商品の重量を示す信号が、はかり２のロードセル２ａから入力される。ロードセル制御部２１は、ロードセル２ａから入力された信号をＣＰＵ２０に転送する。
【００２１】
印字制御部２２は、ＣＰＵ２０による制御に基づいて印字機構部３を制御する。例えば、印字制御部２２は、ＣＰＵ２０の制御に基づいて画像処理（例えば、印字フォーマットに基づく印字データのビットマップ処理）を実行し、印字データ（ビットマップ情報）を印字機構部３に出力することによって、印字フォーマットに従った情報（例えば、商品データ）を印字したラベルが発行されるように印字機構部３を制御する。なお、印字制御部２２は、印字機構部３が上述のような処理をするように印字機構部３を制御してもよい。印字制御部２２には、印字結果を示す信号が、印字機構部３から入力されてもよい。
【００２２】
表示制御部２５は、ＣＰＵ２０による制御に基づいて液晶表示器９ｂを制御する。例えば、表示制御部２５は、ＣＰＵ２０の制御に基づいて画像処理（例えば、表示フォーマットに基づく表示データのビットマップ処理）を実行し、表示データ（ビットマップ情報）を液晶表示器９ｂに出力することによって、表示フォーマットに従った情報（例えば、図２〜図５の各種表示画面、商品データ）が表示されるように液晶表示器９ｂを制御する。なお、表示制御部２５は、液晶表示器９ｂが上述のような処理をするように液晶表示器９ｂを制御してもよい。
【００２３】
操作制御部２４には、オペレータの操作に応じた信号が操作部５から入力される。例えば、操作制御部２４には、操作部５のキー操作部７から値段を示す信号が入力される。また、操作制御部２４には、操作部５のタッチパネル９ａからプレビューの実行を指示するプレビュー指示信号が入力される。操作制御部２４は、操作部５から入力された信号をＣＰＵ２０に転送する。
【００２４】
ＣＰＵ２０は、バスを介して制御装置１００の各部と接続されている。ＣＰＵ２０は、ＲＡＭ３０に展開された制御プログラムに基づいて、制御装置１００の各部を制御する。
【００２５】
次に、液晶表示器９ｂに表示される情報について説明する。ラベルプリンタ１は、ラベル発行する商品に関する情報（商品データ）を各表示枠（各表示欄）に表示する値付け画面を有する。値付け画面とは、商品のラベルを発行するときなどに使用（表示）する画面である。
【００２６】
例えば、ある商品のラベルを発行する場合、オペレータは、値付け画面上にて、ラベルを発行する商品を特定する。例えば、キー操作部７の数字キーによる置数に続けて品番キーを押下し、ラベルを発行する商品を特定する。上記操作によって、商品ファイル中に設定されている当該品番キーに対応する商品番号の商品データが呼び出されて（読み出されて）、値付け画面上の各表示枠に表示（展開）される。続いて、オペレータは、値付け画面上の各表示枠に表示された商品データを確認し、その後、所定の操作（例えば、商品の計量や発行キーの押下）を行ってラベルを発行する。なお、値付け画面上の表示枠のうち、商品を呼び出した際に商品データが表示されなかった表示枠であって当該値付け画面上にてオペレータが商品データを新規に入力可能な表示枠、又は、商品を呼び出した際に商品データが表示された表示枠であって当該値付け画面上にてオペレータが商品データを変更可能な表示枠を、入力枠（入力欄）とも称する。
【００２７】
ラベルプリンタ１は、動作モードに応じて異なる値付け画面を表示する（若しくは、異なる値付け画面を表示する夫々の動作モードを有する）。例えば、ラベルプリンタ１の動作モードが計量モード（計量商品モードとも称する）であるときには計量モード用の値付け画面（図２参照。計量モード画面とも称する）を表示し（若しくは、ラベルプリンタ１は計量モード用の値付け画面を表示しているときには計量モードで動作し）、ラベルプリンタ１の動作モードが定額モード（定額商品モードとも称する）であるときには定額モード用の値付け画面（図３参照。定額モード画面とも称する）を表示し（若しくは、ラベルプリンタ１は定額モード用の値付け画面を表示しているときには定額モードで動作し）、ラベルプリンタ１の動作モードがバイカウントモードであるときにはバイカウントモード用の値付け画面（図４参照。バイカウントモード画面とも称する）を表示する（若しくは、ラベルプリンタ１はバイカウントモード用の値付け画面を表示しているときにはバイカウントモードで動作する）。なお、上記３つの動作モードは、ラベル発行に関係する（値付け画面に関係する）動作モードであって、ラベルプリンタ１は上記３つの動作モード以外の動作モードも有する。一例として、ラベルプリンタ１は、商品ファイル等々にデータを設定するための設定モードを有し、設定モードであるときには、設定モード用の画面を表示し、該画面を介して商品毎の情報（例えば値段、品名、賞味期限等）を設定する。
【００２８】
計量モードは、商品の単位重量当たりの値段（単価）に基づいて、値段（販売価格、総額とも称する）を決定する動作モードである。計量モードでは、販売する商品の計量値が安定し、値段（総額）が決定したときに、ラベルが発行される。即ち、計量モード用の値付け画面の表示中（単価は表示枠に表示中）に、はかり２の上に商品を置いて計量値が安定すると、制御装置１００（印字制御部２２）が印字機構部３を駆動させることにより、当該商品の商品データ（重量、値段（単価、総額）、品名等）を印字したラベルが発行される。
【００２９】
定額モードは、商品の重量に関係なく値段（総額）を決定する動作モードである。定額モードでは、値段（総額）は一定額であり、値段（総額）を決定するための計量は不要（但し、重量を印字する場合の計量は必要）である。定額モードでは、オペレータの操作によって、ラベルが発行される。即ち、定額モード用の値付け画面の表示中（総額は表示枠に表示中）に、キー操作部７の発行キーが押されると、制御装置１００（印字制御部２２）が印字機構部３を駆動させることにより、当該商品の商品データ（値段（総額）、品名等）を印字したラベルが発行される。
【００３０】
バイカウントモードは、同一商品の複数個の値段（総額）を決定する動作モードである。バイカウントモードでは、ある同一商品の複数個分の値段（総額）と、当該個数を入力する。即ち、バイカウントモードでは、重量に関係なく値段（総額）を決定するため、値段（総額）を決定するための計量は不要（但し、重量を印字する場合の計量は必要）である。即ち、バイカウントモードの値付け画面の表示中（単価、総額は表示枠に表示中）に、キー操作部７の発行キーが押されると、制御装置１００（印字制御部２２）が印字機構部３を駆動させることにより、当該商品の商品データ（値段（単価、総額）、品名等）を印字したラベルが発行される。例えば、オペレータが、ある商品について、バイカウントモードの値付け画面において総額６００円と個数２個を入力した場合、当該値付け画面の夫々の入力枠に単価３００円と総額６００円とが表示され、その後、オペレータが、キー操作部７の発行キーを押下することによって、当該商品の商品データ（値段（単価、総額）、品名等）を印字したラベルが発行される。なお、オペレータが、当該商品を呼び出した際に、前回の入力値として、あるいは、予め定めた設定値として、夫々の入力枠に、単価３００円と総額６００円とが表示されるようにしてもよい。
【００３１】
各商品は、夫々の販売方法に応じて、何れかの動作モード（値付け画面）に対応付けられている。どの商品が何れの動作モード（値付け画面）であるか、即ち、商品と動作モード（値付け画面）との対応関係は、予め決められている。本実施形態では、商品ファイルに商品と動作モード（値付け画面）との対応関係が設定（記憶）されている。従って、キー操作部７の数字キーと品番キーを用いてある商品を特定すると、商品ファイルが参照されて当該商品に対応する値付け画面が特定され、液晶表示器９ｂに表示される。よって、商品の特定によって現在表示中の値付け画面と異なる値付け画面が特定された場合には、値付け画面が切り替わる。
【００３２】
図２は、計量モード用の値付け画面の一例である。計量モード用の値付け画面には、図２に示すように、品名を表示する品名欄２０１、総額（販売価格）を表示する総額欄２０２、単位重量（図２の例では１００ｇ）当たりの値段を表示する単価欄２０３、はかり２によって計量された商品の重量を表示する計量欄２０４、商品を包装しているトレーやラップ等、商品に含まれないものの重量を示す風袋欄２０５などの各種の表示枠や、電卓画面（後述）を表示する指示を受け付ける電卓キー２１０などの各種のキーが配置されている。なお、電卓キー２１０などの各種のキーは、タッチパネル９ａを介してオペレータによる操作入力を受け付ける（定額モード用の値付け画面、バイカウントモード用の値付け画面においても同様）。
【００３３】
図３は、定額モード用の値付け画面の一例である。定額モード用の値付け画面には、図３に示すように、品名を表示する品名欄３０１、総額（販売価格）を表示する総額欄３０２、はかり２によって計量された商品の重量を表示する計量欄３０４などの各種の表示枠や、電卓画面（後述）を表示する指示を受け付ける電卓キー２１０などの各種のキーが配置されている。
【００３４】
図４は、バイカウントモード用の値付け画面の一例である。バイカウントモード用の値付け画面には、図４に示すように、品名を表示する品名欄４０１、総額（販売価格）を表示する総額欄４０２、単位数量（例えば１個）当たりの値段を表示する単価欄４０３、はかり２によって計量された商品の重量を表示する計量欄４０４、バイカウントモードでの値段が適用される商品数量を示す内容量４０６などの各種の表示枠や、電卓画面（後述）を表示する指示を受け付ける電卓キー２１０などの各種のキーが配置されている。
【００３５】
図５は、電卓画面の一例である。電卓画面には、図５に示すように、電卓表示部５１０、演算結果出力先選択部５２０、終了キー５３０、ヘルプキー５４０などが配置されている。電卓表示部５１０は、演算指示を受け付ける電卓入力キー５１１、演算結果を表示する演算表示欄５１２を有する。電卓表示部５１０及びＣＰＵ２０は、オペレータからの入力に応じて演算を行う電卓手段に相当する。演算結果出力先選択部５２０は、単価（計）キー５２１、値段キー５２２、値段＊計量実績ありキー５２３、単価（個）キー５２４、単価（個）＊計量実績ありキー５２５、入力キー５２６を有する。単価（計）キー５２１、値段キー５２２、値段＊計量実績ありキー５２３、単価（個）キー５２４、単価（個）＊計量実績ありキー５２５は、出力先の項目に対応し、演算結果の出力先の項目の指示を受け付ける指示手段に相当する（選択キーとも称する）。終了キー５３０は、電卓画面を終了させる指示を受け付ける。ヘルプキー５４０は、電卓画面についての使い方のヘルプ画面を表示させる指示を受け付ける。
【００３６】
図６は、ラベルプリンタ１の動作の一例を示すフローチャートである。具体的には、演算結果を印字したラベルを発行する動作の一例を表している。
ステップＳ１：ラベルプリンタ１は、値付け画面を表示する。具体的には、操作制御部２４は、値付け画面を表示させるための操作入力を、操作部５を介して受け付ける。操作制御部２４は、値付け画面を表示させる指示信号を、ＣＰＵ２０に出力する。ＣＰＵ２０は、値付け画面を表示させる指示信号に基づいて、表示制御部２５を介して、値付け画面を液晶表示器９ｂに表示させる。
【００３７】
ステップＳ２：ラベルプリンタ１は、値付け画面において電卓キー２１０が押下されたか否かを判定する。具体的には、ＣＰＵ２０は、電卓画面を表示させる指示信号を、操作制御部２４から入力したか否かを判定する。なお、操作制御部２４は、電卓キー２１０が押下された場合には、電卓画面を表示させる指示信号をＣＰＵ２０に出力する。電卓キー２１０が押下された場合（ステップＳ２：ＹＥＳ）、ステップＳ３に進む。電卓キー２１０が押下されなかった場合（ステップＳ２：ＮＯ）、ステップＳ２に戻る。
【００３８】
ステップＳ３：ラベルプリンタ１は、電卓画面（図５参照）を表示する。具体的には、操作制御部２４から電卓画面を表示させる指示信号を入力したＣＰＵ２０は、表示制御部２５を介して、電卓画面を液晶表示器９ｂに表示させる。
【００３９】
ステップＳ４：ラベルプリンタ１は、電卓画面において電卓入力キー５１１が押下されたか否かを判定する。具体的には、ＣＰＵ２０は、電卓入力キー５１１の各ボタン（例えば、数値、演算子）に対応する指示信号を、操作制御部２４から入力したか否かを判定する。なお、操作制御部２４は、電卓入力キー５１１の各ボタンが押下された場合には、押下されたボタンに対応する指示信号をＣＰＵ２０に出力する。電卓入力キー５１１が押下された場合（ステップＳ４：ＹＥＳ）、ステップＳ５に進む。電卓入力キー５１１が押下されなかった場合（ステップＳ４：ＮＯ）、ステップＳ４に戻る。
【００４０】
ステップＳ５：ラベルプリンタ１は、電卓画面の演算表示欄５１２に演算結果を表示する。即ち、電卓入力キー５１１の各ボタンに対応する指示信号を操作制御部２４から入力したＣＰＵ２０は、指示信号に従って演算し、表示制御部２５を介して、演算表示欄５１２に演算結果を表示させる。なお、ラベルプリンタ１は、演算結果を算出する迄の演算課程も演算表示欄５１２に表示してもよい。
【００４１】
ステップＳ６：ラベルプリンタ１は、電卓画面において単価（計）キー５２１が押下されたか否かを判定する。具体的には、ＣＰＵ２０は、単価（計）キー５２１に対応する指示信号を、操作制御部２４から入力したか否かを判定する。なお、操作制御部２４は、単価（計）キー５２１が押下された場合には、単価（計）キー５２１に対応する指示信号をＣＰＵ２０に出力する。単価（計）キー５２１が押下された場合（ステップＳ６：ＹＥＳ）、ステップＳ７に進む。単価（計）キー５２１が押下されなかった場合（ステップＳ６：ＮＯ）、ステップＳ８に進む。
【００４２】
ステップＳ７：ラベルプリンタ１は、ステップＳ５において演算表示欄５１２に表示した演算結果を、計量モード画面（計量モード用の値付け画面）の単価欄２０３に出力する。即ち、単価（計）キー５２１に対応する指示信号を操作制御部２４から入力したＣＰＵ２０は、表示制御部２５を介して、計量モード画面の単価欄２０３に演算結果を表示させる。そして、演算表示欄５１２を初期化（数値消去）した後、ステップＳ１７に進む。
【００４３】
なお、単価（計）キー５２１の押下時において、電卓画面とともに定額モード画面（定額モード用の値付け画面）を表示していた場合には、ステップＳ７において、ラベルプリンタ１は、定額モード画面から計量モード画面に切り替え、単価欄２０３に演算結果を出力する。同様に、単価（計）キー５２１の押下時において、電卓画面とともにバイカウントモード画面（バイカウントモード用の値付け画面）を表示していた場合には、ラベルプリンタ１は、バイカウントモード画面から計量モード画面に切り替え、単価欄２０３に演算結果を出力する。つまり、ラベルプリンタ１は、選択キー（単価（計）キー５２１）によって指示された出力先（単価欄２０３）に応じて動作モード（値付け画面）を切り替え、指示された出力先に演算結果を出力する。
【００４４】
ステップＳ８：ラベルプリンタ１は、電卓画面において値段キー５２２が押下されたか否かを判定する。具体的には、ＣＰＵ２０は、値段キー５２２に対応する指示信号を、操作制御部２４から入力したか否かを判定する。なお、操作制御部２４は、値段キー５２２が押下された場合には、値段キー５２２に対応する指示信号をＣＰＵ２０に出力する。値段キー５２２が押下された場合（ステップＳ８：ＹＥＳ）、ステップＳ９に進む。値段キー５２２が押下されなかった場合（ステップＳ８：ＮＯ）、ステップＳ１０に進む。
【００４５】
ステップＳ９：ラベルプリンタ１は、ステップＳ５において演算表示欄５１２に表示した演算結果を、定額モード画面の総額欄３０２に出力する。即ち、値段キー５２２に対応する指示信号を操作制御部２４から入力したＣＰＵ２０は、表示制御部２５を介して、定額モード画面の総額欄３０２に演算結果を表示させる。そして、演算表示欄５１２を初期化（数値消去）した後、ステップＳ１７に進む。
【００４６】
なお、値段キー５２２の押下時において、電卓画面とともに計量モード画面を表示していた場合には、ステップＳ９において、ラベルプリンタ１は、計量モード画面から定額モード画面に切り替え、総額欄３０２に演算結果を出力する。同様に、値段キー５２２の押下時において、電卓画面とともにバイカウントモード画面を表示していた場合には、ラベルプリンタ１は、バイカウントモード画面から定額モード画面に切り替え、総額欄３０２に演算結果を出力する。つまり、ラベルプリンタ１は、選択キー（値段キー５２２）によって指示された出力先（総額欄３０２）に応じて動作モード（値付け画面）を切り替え、指示された出力先に演算結果を出力する。
【００４７】
ステップＳ１０：ラベルプリンタ１は、電卓画面において値段＊計量実績ありキー５２３が押下されたか否かを判定する。具体的には、ＣＰＵ２０は、値段＊計量実績ありキー５２３に対応する指示信号を、操作制御部２４から入力したか否かを判定する。なお、操作制御部２４は、値段＊計量実績ありキー５２３が押下された場合には、値段＊計量実績ありキー５２３に対応する指示信号をＣＰＵ２０に出力する。値段＊計量実績ありキー５２３が押下された場合（ステップＳ１０：ＹＥＳ）、ステップＳ１１に進む。値段＊計量実績ありキー５２３が押下されなかった場合（ステップＳ１０：ＮＯ）、ステップＳ１２に進む。
【００４８】
ステップＳ１１：ラベルプリンタ１は、ステップＳ５において演算表示欄５１２に表示した演算結果を、定額モード画面の総額欄３０２に出力する。即ち、値段＊計量実績ありキー５２３に対応する指示信号を操作制御部２４から入力したＣＰＵ２０は、表示制御部２５を介して、定額モード画面の総額欄３０２に演算結果を表示させる。そして、演算表示欄５１２を初期化（数値消去）した後、ステップＳ１７に進む。
【００４９】
なお、ステップＳ７やステップＳ９と同様、ラベルプリンタ１は、選択キー（値段＊計量実績ありキー５２３）によって指示された出力先（総額欄３０２）に応じて動作モード（値付け画面）を切り替える。
【００５０】
ステップＳ１２：ラベルプリンタ１は、電卓画面において単価（個）キー５２４が押下されたか否かを判定する。具体的には、ＣＰＵ２０は、単価（個）キー５２４に対応する指示信号を、操作制御部２４から入力したか否かを判定する。なお、操作制御部２４は、単価（個）キー５２４が押下された場合には、単価（個）キー５２４に対応する指示信号をＣＰＵ２０に出力する。単価（個）キー５２４が押下された場合（ステップＳ１２：ＹＥＳ）、ステップＳ１３に進む。単価（個）キー５２４が押下されなかった場合（ステップＳ１２：ＮＯ）、ステップＳ１４に進む。
【００５１】
ステップＳ１３：ラベルプリンタ１は、ステップＳ５において演算表示欄５１２に表示した演算結果を、バイカウントモード画面の単価欄４０３に出力する。即ち、単価（個）キー５２４に対応する指示信号を操作制御部２４から入力したＣＰＵ２０は、表示制御部２５を介して、バイカウントモード画面の単価欄４０３に演算結果を表示させる。そして、演算表示欄５１２を初期化（数値消去）した後、ステップＳ１７に進む。
【００５２】
なお、ステップＳ７やステップＳ９と同様、ラベルプリンタ１は、選択キー（単価（個）キー５２４）によって指示された出力先（単価欄４０３）に応じて動作モード（値付け画面）を切り替える。
【００５３】
ステップＳ１４：ラベルプリンタ１は、電卓画面において単価（個）＊計量実績ありキー５２５が押下されたか否かを判定する。具体的には、ＣＰＵ２０は、単価（個）＊計量実績ありキー５２５に対応する指示信号を、操作制御部２４から入力したか否かを判定する。なお、操作制御部２４は、単価（個）＊計量実績ありキー５２５が押下された場合には、単価（個）＊計量実績ありキー５２５に対応する指示信号をＣＰＵ２０に出力する。単価（個）＊計量実績ありキー５２５が押下された場合（ステップＳ１４：ＹＥＳ）、ステップＳ１５に進む。単価（個）＊計量実績ありキー５２５が押下されなかった場合（ステップＳ１４：ＮＯ）、ステップＳ１６に進む。
【００５４】
ステップＳ１５：ラベルプリンタ１は、ステップＳ５において演算表示欄５１２に表示した演算結果を、バイカウントモード画面の総額欄４０２に出力する。即ち、単価（個）＊計量実績ありキー５２５に対応する指示信号を操作制御部２４から入力したＣＰＵ２０は、表示制御部２５を介して、バイカウントモード画面の総額欄４０２に演算結果を表示させる。そして、演算表示欄５１２を初期化（数値消去）した後、ステップＳ１７に進む。
【００５５】
なお、ステップＳ７やステップＳ９と同様、ラベルプリンタ１は、選択キー（単価（個）＊計量実績ありキー５２５）によって指示された出力先（総額欄４０２）に応じて動作モード（値付け画面）を切り替える。
【００５６】
ステップＳ１６：ラベルプリンタ１は、電卓画面において終了キー５３０が押下されたか否かを判定する。具体的には、ＣＰＵ２０は、終了キー５３０に対応する指示信号を、操作制御部２４から入力したか否かを判定する。なお、操作制御部２４は、て終了キー５３０が押下された場合には、終了キー５３０に対応する指示信号をＣＰＵ２０に出力する。て終了キー５３０が押下された場合（ステップＳ１６：ＹＥＳ）、ステップＳ１７に進む。終了キー５３０が押下されなかった場合（ステップＳ１６：ＮＯ）、ステップＳ６に戻る。
【００５７】
ステップＳ１７：ラベルプリンタ１は、電卓画面を消去する。即ち、ラベルプリンタ１は、終了キー５３０の押下時に電卓画面とともに表示していた値付け画面（即ち、演算結果を出力した値付け画面）のみを表示する。
ステップＳ１８：ラベルプリンタ１は、商品データ（例えば、総額等）をラベル用媒体に印字し、ラベルを発行する。具体的には、ラベルプリンタ１は、電卓画面の消去後（ステップＳ１７の終了時）に、定額モード画面、又は、バイカウントモード画面を表示している場合には、発行キーの押下によって、ラベルを発行する。また、ラベルプリンタ１は、電卓画面の消去後に、計量モード画面を表示している場合には、既に計量が完了しているときには発行キーの押下によらずにラベルが発行され、未だ計量が完了していないときには計量後に発行キーの押下によらずにラベルが発行される。そして、本フローチャートは終了する。
【００５８】
以上のように、ラベルプリンタ１は、オペレータからの入力に応じて演算を行う電卓手段と、電卓手段の演算結果をオペレータの指示に応じた入力枠に出力する制御手段とを備えるため、演算結果（数値）や演算結果の出力先の項目をオペレータに記憶させることなく、演算結果を本来の入力先に反映させることができる。即ち、ラベルプリンタ１によれば、実際の演算結果とは異なる数値を誤って入力することや、本来の入力先とは異なる入力先へ誤って入力することがなくなる。よって、ラベルを発行する際に演算が必要になった場合であっても、ラベルプリンタの操作ミスを低減させることができる。
【００５９】
また、ラベルプリンタ１は、出力先の選択に加えて、動作モード（値付け画面）の自動変更も行うため、切り替えるべき動作モードに切り替える手間もなくなる。また、切り替えるべき動作モードとは異なる動作モードに誤って切り替える心配や、切り替えるのを忘れる心配もなくなる。
【００６０】
また、通常時には計量商品として販売される商品を、夕方の特売の時間帯などにおいて通常時に比べ安価な定額の商品として販売するときには、一般に、店舗として最低限確保する利益を計算するため、電卓を用いて割引後の値段（総額）を算出する場合がある。このような場合に、ラベルプリンタ１は非常に便利である。即ち、ラベルプリンタ１は、図６のフローチャートに示したように、演算結果を表示（ステップＳ５）した後、例えば、単価（計）キー５２１が押下されると（ステップＳ６：ＹＥＳ）、演算結果は計量モード画面の単価欄２０３に出力され、値段キー５２２が押下されると（ステップＳ８：ＹＥＳ）、演算結果は定額モード画面の総額欄３０２に出力される。従って、通常時には計量商品として販売される商品について、演算結果の表示後に値段キー５２２を押下すれば、自動的に、計量モード画面から定額モード画面に切り替わり、その後、発行キーの押下により、通常時は計量のラベルを発行する商品について、臨時的（一時的）に定額のラベルを発行することができる。
【００６１】
なお、計量モード画面から定額モード画面への切り替えに際し、演算結果である値段（総額）以外の計量モード画面に表示されていた商品データ（例えば、品名等）は、そのまま、切り替え後の定額モード画面に表示（反映）される（但し、非表示設定（マスク設定）されている項目は除く）。定額モード画面から計量モード画面への切り替えや、計量モード画面からバイカウントモード画面への切り替え等、他の場合も同様である。
【００６２】
なお、計量モードの場合は、はかり２に商品を載せて計量値が安定するとラベルが発行されるが、出力先の選択によって計量モードから定額モードに切り替わった場合には、ラベルを発行するために発行キーの押下が必要になる。定額モード画面では、計量欄３０４や風袋欄の数値を非表示（マスク）し、総額欄３０２の数値のみが表示されるため、オペレータは計量モード画面ではなく定額モード画面を表示している旨、即ち、ラベルを発行するために発行キーの押下が必要である旨を容易に認識することができる。
【００６３】
また、定額モードであった商品を一時的に計量モードにする場合も同様である。例えば、図５の如く、演算結果（１００）が表示された状態において、単価（計）キー５２１が押下された場合、図２に示すように、計量モード画面の単価欄２０３に単価（１００円）が出力され、計量欄２０４や風袋欄２０５の数値も表示されるため、オペレータは計量モード画面を表示している旨、即ち、ラベルを発行するために計量が必要である旨を容易に認識することができる。
【００６４】
なお、値付け画面において当該商品の値段を変更したりモードを変更したりしても、上述のように、当該変更は一時的なものであるので、商品ファイルにおける設定データは変更しない。但し、明示的（例えば、上書きキー（非図示）の押下）によって、あるいは、非明示的に、値付け画面における上記変更を商品ファイルに反映（上書き更新）させるようにしてもよい。
【００６５】
なお、図６のフローチャートによれば、ある演算結果の出力先は、最初に押下された選択キーに応じて確定するが、ある演算結果の出力先を入力キー５２６の押下によって確定させるようにしてもよい。ある演算結果の出力先を入力キー５２６の押下によって確定させる態様とするときは、ある演算結果の出力先は、入力キー５２６の押下前に最後に押下した選択キーに応じて確定する。なお、オペレータが入力キー５２６を押下する際に最後に押下した選択キーを確認できるように、最後に押下した選択キーを他の選択キーと区別して表示してもよい（例えばハイライト表示してもよい）。
【００６６】
また、図６のフローチャートによれば、演算結果の出力後（ステップＳ７、ステップＳ９、ステップＳ１１、ステップＳ１３、ステップＳ１５）に、電卓画面を消去（ステップＳ１７）しているが、演算結果の出力後に、電卓キーを再度押下して電卓画面を表示させることなく、もう一度、演算や出力先の指示をやり直せるように、終了キー５３０の押下によって電卓画面を消去してもよい。
【００６７】
また、図６のフローチャートによれば、電卓キー２１０が押下された場合に、液晶表示器９ｂに値付け画面とともに電卓画面を表示したが、電卓キー２１０が押下された場合に、値付け画面に替えて電卓画面を表示してもよい。なお、電卓キー２１０が押下された場合に値付け画面に替えて電卓画面を表示する態様とするときは、選択キーが押下された場合に、電卓画面に替えて値付け画面を表示するとよい。即ち、選択キーが押下された場合には、表示中の電卓画面を消去し、演算結果の出力先の値付け画面を表示するとよい。
【００６８】
また、電卓画面上に電卓操作やラベル発行に関連する関連情報（メッセージ、通知等）を表示（報知）してもよい。例えば、図５に示すように、画面下部に、「小数点以下切り捨ての数値が表示されます」なるメッセージを表示してもよい。また、出力先毎の値の範囲（上限値、下限値）を予め設定しておくことによって、選択キーを押下したときに、演算結果が、選択キーに対応する出力先に設定されている範囲内の数値であるか否かを判定し、範囲外の数値であるときは、範囲外の数値である旨や当該範囲などを報知してもよい。
【００６９】
また、電卓画面上に、上述したように、演算結果を一時的ではなく以後も利用するために商品ファイルに反映（上書き）させるための上書きキー（非図示）を表示するとともに、上書きキーの押下によって商品ファイルに演算結果が上書きされる旨のメッセージを表示してもよい。なお、演算結果を商品ファイルに上書きしない場合には、上述したように、例えば、タイムセールなどで商品ファイルの数値を一時的に変更し、ラベルを発行することができる。
【００７０】
以上、この発明の実施形態について図面を参照して詳述してきたが、具体的な構成はこの実施形態に限られるものではなく、この発明の要旨を逸脱しない範囲の設計等も含まれる。
【００７１】
なお、上記に説明した制御装置及びプリンタを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７２】
１…ラベルプリンタ  ２…はかり  ２ａ…ロードセル  ３…印字機構部（印字手段）  ５…操作部  ７…キー操作部  ９ａ…タッチパネル  ９ｂ…液晶表示器  ２０…ＣＰＵ（制御手段）  ２１…ロードセル制御部  ２２…印字制御部  ３０…ＲＡＭ（記憶手段）  ２４…操作制御部  ２５…表示制御部  ４０…ＲＯＭ  １００…制御装置  ２０１…（計量商品）品名欄  ２０２…（計量商品）総額欄  ２０３…（計量商品）単価欄  ２０４…（計量商品）計量欄  ２０５…（計量商品）風袋欄  ２１０…電卓キー  ３０１…（定額商品）品名欄  ３０２…（定額商品）総額欄  ３０４…（定額商品）計量欄  ４０１…（バイカウント）品名表示欄  ４０２…（バイカウント）総額欄  ４０３…（バイカウント）単価欄  ４０４…（バイカウント）計量欄  ４０６…（バイカウント）内容量欄  ５１０…電卓表示部  ５１１…電卓入力キー  ５１２…演算表示欄５２０…演算結果出力先選択部  ５２１…単価（計）キー  ５２２…値段キー  ５２３…値段＊計量実績ありキー  ５２４…単価（個）キー  ５２５…単価（個）＊計量実績ありキー  ５２６…入力キー  ５３０…終了キー  ５４０…ヘルプキー  
【図１】
2014136375.tif 000003
【図２】
2014136375.tif 000004
【図３】
2014136375.tif 000005
【図４】
2014136375.tif 000006
【図５】
2014136375.tif 000007
【図６】
2014136375.tif 000008